(57)【要約】【課題】車両の運転に関するデータを音源制御情報に変換し、楽曲等を再生して運転者に現在の状況を知らせる車載用音源情報再生装置を提供することを目的とする。【解決手段】車両に搭載された装置から、車両の運転状態に関するデータを入力する車両データ入力部と、音源データを記憶する記憶部と、前記車両データと音源データと該音源データの再生を制御する音源制御情報とを関連付けて記憶するデータテーブルと、該音源制御情報に基づいて音源データを再生する音源部と、該音源部へ前記車両データ入力部を介して入力した前記車両データに基づいて、音源データと音源制御情報とを出力する音源制御部と、前記データテーブルに車両データや音源制御情報、音源データを設定するための設定入力部と、前記音源部において再生された音声や音楽を発音する発音部とを有することにより、運転者に現在の状況を知らせる車載用音源情報再生装置を提供する。【選択図】      図１
2004251989.tif 000002
【特許請求の範囲】
【請求項１】
車両に搭載された装置から、車両の運転状態に関するデータを入力する車両データ入力部と、音源データを記憶する記憶部と、前記車両データと音源データと該音源データの再生を制御する音源制御情報とを関連付けて記憶するデータテーブルと、該音源制御情報に基づいて音源データを再生する音源部と、該音源部へ前記車両データ入力部を介して入力した前記車両データに基づいて、音源データと音源制御情報とを出力する音源制御部と、前記データテーブルに車両データや音源制御情報、音源データを設定するための設定入力部と、前記音源部において再生された音声や音楽を発音する発音部とを有する車載用音源情報再生装置。
【請求項２】
前記音源制御部が前記車両データ入力部を介して入力した前記車両データの値が予め定められた所定の値を超えたときに、前記音源部に音源データと音源制御情報を出力し、前記音源制御情報を前記車両データの値に応じて順次変更するとともに、前記車両データが前記予め定められた所定の値の範囲内になったときに、前記音源部への音源データと音源制御情報の出力を停止する請求項１に記載された車載用音源情報再生装置。
【請求項３】
前記記憶部が楽曲、効果音および音声の３つのデータを格納するとともに、前記音源部が該３つのデータをそれぞれ解釈して再生する請求項１または請求項２に記載された車載用音源情報再生装置。
【請求項４】
通信ネットワークに接続される通信機器とのインターフェースをさらに有し、前記音源データは前記インターフェースを介して取得される請求項１に記載された車載用音源情報再生装置。
【発明の詳細な説明】
【０００１】
【発明の属する技術分野】
本発明は、車載用音源情報再生装置に関する。
【０００２】
【従来の技術】
従来より、車両の安全運転や安定走行のために、視覚や聴覚により、運転状況や走行状況を運転者に知らせる様々な装置が提案されている。これらの一例としては、機械式半自動変速装置において、シフトチェンジの完了を音で知らせるもの（例えば、特許文献１参照。）や、自動車の走行に支障のある各現象を検知し、その各現象の検知によって、その不都合を音声で警告するもの（例えば、特許文献２参照。）、あるいは、車間距離と車速に応じて不安定感のある警報音を再生間隔を変えて出力することにより、運転者に緊張感を与えるようにしたものがある（例えば、特許文献３参照。）。
【０００３】
【特許文献１】
特開平７−２１７７３９号公報（第２−４頁、第２図）
【特許文献２】
特開平９−２７７８８６号公報（第２−５頁、第１図）
【特許文献３】
特開平１１−２０８３７０号公報（第３−８頁、第１図）
【０００４】
【発明が解決しようとする課題】
しかし、例えば、車間距離が所定の範囲内に近づいたことを警告音で知らせたとしても、単に、車間距離等に応じて選択された警告音を発するのみでは単調であるばかりか、実際の距離を把握することは困難であり、危険度を正確に予知することができない。そこで、本発明は、上述した問題点に鑑みてなされたものであって、車両の運転に関するデータを音量やテンポ等の音源制御情報に変換し、楽曲や効果音、音声を再生して運転者に現在の状況を知らせる車載用音源情報再生装置を提供することを目的とする。
【０００５】
【課題を解決するための手段】
前記課題を解決するため、本発明は、以下の手段を提案している。
請求項１に係る発明は、車両に搭載された装置から、車両の運転状態に関するデータを入力する車両データ入力部と、音源データを記憶する記憶部と、前記車両データと音源データと該音源データの再生を制御する音源制御情報とを関連付けて記憶するデータテーブルと、該音源制御情報に基づいて音源データを再生する音源部と、該音源部へ前記車両データ入力部を介して入力した前記車両データに基づいて音源データと音源制御情報とを出力する音源制御部と、前記データテーブルに車両データや音源制御情報、音源データを設定するための設定入力部と、前記音源部において再生された音声や音楽を発音する発音部とを有する車載用音源情報再生装置を提案している。
【０００６】
この発明によれば、車両データ入力部の作動により、車両側の装置から車両の運転に関するデータを入力する。記憶部には音源データが記憶され、データテーブルには、車両データと音源制御情報と音源データとが関連付けて記憶されている。音源制御部は、入力した車両データに対応する音源制御情報と音源データとをデータテーブルから検索して、これを音源部に供給する。音源部は音源制御情報にしたがって音源データを再生し、発音部を介して発音する。また、設定入力部の作動により、ユーザーの好みに応じて、車両の各種状態に対応した楽曲データや音源制御情報を自由に設定することができる。なお、音源データとは音源に入力することで音として再生できるデータを表すものであり、楽曲データ、効果音データ、音声（人の声）データなどを総合して称するものとする。
【０００７】
請求項２に係る発明は、請求項１に記載された車載用音源情報再生装置について、前記音源制御部が前記車両データ入力部を介して入力した前記車両データの値が予め定められた所定の値を超えたときに、前記音源部に音源データと音源制御情報を出力し、前記音源制御情報を前記車両データの値に応じて順次変更するとともに、前記車両データが前記予め定められた所定の値の範囲内になったときに、前記音源部への音源データと音源制御情報の出力を停止する車載用音源情報再生装置を提案している。
【０００８】
この発明によれば、音源制御部は、車両側の装置から入力される車両データを予め設定されている所定の値と比較し、入力される車両データが所定の値を超えたときに、音源部に対して、対応する音源データと音源制御情報を出力する。これにより、音源部は入力された音源データを音源制御情報にもとづいて再生し、発音部を介して発音して運転者に状況を知覚させる。また、入力される車両データが所定の値を超えた後は、入力される車両データに応じて、音源制御部が、例えば、テンポを早めたり、音量を増加させるために音源制御情報を順次変更して音源部に出力し、音源部は、この音源制御情報に基づいて入力された音源データを再生し、発音部を介して発音する。さらに、入力される車両データが所定の値の範囲内になったときは、音源制御部から音源部への音源データと音源制御情報の出力を停止する。
【０００９】
請求項３に係る発明は、請求項１または請求項２に記載された車載用音源情報再生装置について、前記記憶部が楽曲、効果音および音声の３つのデータを格納するとともに、前記音源部が該３つのデータをそれぞれ解釈して再生する車載用音源情報再生装置を提案している。
この発明によれば、１つの音源部で、楽曲、効果音および音声といった３つのデータを解釈し、再生することができる。したがって、各車両データについて、運転者がその状況を認知しやすい楽曲、効果音および音声を選択し、再生することができる。
【００１０】
請求項４に係る発明は、請求項１に記載された車載用音源情報再生装置について、通信ネットワークに接続される通信機器とのインターフェースをさらに有し、前記音源データは前記インターフェースを介して取得される車載用音源情報再生装置を提案している。
この発明によれば、音源データは、通信ネットワークを介しても入手することができるため、ユーザーの好みに応じた最新の楽曲を、音源データとして用いることができる。
【００１１】
【発明の実施の形態】
以下、本発明の実施形態に係る車載用音源情報再生装置について図１から図７を参照して詳細に説明する。
本発明の実施形態に係る車載用音源情報再生装置は、図１に示すように、車両データ入力部１と、音源制御部２と、音源部３と、スピーカ４と、Ｉ／Ｆ（Ｉ／Ｆ：Ｉｎｔｅｒｆａｃｅ）部５と、ＲＡＭ６と、ＲＯＭ７と、装置制御部８と、設定入力部９と、表示部１０とを備えている。
【００１２】
車両データ入力部１は、例えば、車両に搭載された障害物ソナーセンサやスピードセンサからの情報、チェンジレバーの位置を示す情報、ガソリンの給油時期を知らせる情報、エンジン温度の異常を知らせる情報等の車両の運転に関するデータを入力する。音源制御部２は、車両データ入力部１に入力された車両の運転に関するデータ（以下、「車両データ」という。）に基づいて、後述するＲＡＭ６内に記憶された車両データと音源制御情報および音源データを関連付けたデータテーブルから音源制御情報および音源データを検索し、これを音源部３に出力する。なお、ここで、音源制御情報とは、音源データの再生に伴うテンポや音量、キー等のデータをいう。また、音源データの中には、楽曲データのみならず、効果音に関するデータや音声（人の声）に関するデータも含まれる。
【００１３】
音源部３は、音源制御部２から入力した音源データを解釈し、音源制御情報に基づいて、これを再生する。再生されたアナログ信号はスピーカ４を介して発音される。なお、本実施形態における音源部３は、ＦＭ音源、Ｗａｖｅ  Ｔａｂｌｅ（波形メモリ）音源および音声合成用音源の３つの機能を備えており、音源制御部２から入力される音源データに応じて、主に、ＦＭ音源は楽曲再生に、Ｗａｖｅ  Ｔａｂｌｅ音源は効果音再生に、音声合成用音源は音声ガイドの発音に用いられる。なお、音声合成用音源による音声合成方式は任意であるが、例えば、特公昭５８−５３３５１号公報に開示されたＣＳＭ音声合成の技術を用いることで実現できる。
【００１４】
Ｉ／Ｆ部５は、外部機器とのインターフェースであり、外部の記憶装置、例えば、ハードディスクやＣＤ−ＲＯＭ等と接続して、楽曲データをＲＡＭ６内に取り込む。また、携帯電話機やパーソナルコンピュータと接続し、ネットワークを介してダウンロードした楽曲データ等を取り込むこともできる。ＲＡＭ（ＲＡＭ：Ｒａｎｄｏｍ  Ａｃｃｅｓｓ  Ｍｅｍｏｒｙ）６は、書き換え可能な記憶装置であり、前述のデータテーブルや楽曲データを格納する。また、車両データに対する動作設定値等も格納されている。ＲＯＭ（ＲＯＭ：Ｒｅａｄ  Ｏｎｌｙ  Ｍｅｍｏｒｙ）７は、読み出し専用の記憶装置であり、本実施形態に係る車載用音源情報再生装置を制御するためのプログラムや表示データ等が格納されている。装置制御部８は、主としてＣＰＵ（ＣＰＵ：Ｃｅｎｔｒａｌ  Ｐｒｏｃｅｓｓｉｎｇ  Ｕｎｉｔ）で構成され、ＲＯＭ７内に格納されたシステムの制御プログラムにしたがって装置全体を制御する。
【００１５】
設定入力部９は、装置を操作するためにボタン等で構成され、操作されるボタンに対応して所定の動作が実行される。なお、本実施形態においては、設定入力部９と表示部１０とを用いて、ＲＡＭ６内に格納されているデータテーブルの情報、すなわち、車両データに対応する音源データや音源制御情報をユーザーの好みに応じて、適宜、変更することができる。また、設定入力部９の所定の入力ボタンを操作して、テキストを入力することにより、音声ガイドを使用する際の発音内容を作成することもできる。
【００１６】
次に、図２を用いて、本発明の第１の実施形態について説明する。
図２は、障害物ソナーからのデータを入力した場合の車載用音源情報再生装置における処理手順を示したものである。本実施形態は、車両前方のコーナー部や車両後方のコーナー部に障害物との距離を検知するために設置されたソナー型センサからのデータにより、これに対応した楽曲や再生音の音量、テンポ、キー等をコントロールして、車両が障害物にどれだけ接近しているのかを運転者に知らせるものである。ここで、発音させる音の種類としては、危険を表す楽曲でもよいし、単純な音の繰り返しや音声案内などでもよい。これらの発音に関する音源データは、運転者が設定入力部や表示部を用いて、その好みに応じて設定することができる。
【００１７】
図２により処理手順を説明する。なお、以下の処理例においては、ＲＡＭ６には、すでにテーブルデータが設定されており、楽曲名、警告範囲、車両と障害物との距離に対する楽曲の音量の変化値などが設定されているとする。まず、障害物ソナーセンサがＯＮ状態になったことを音源制御部２が車両データ入力部１に入力されたデータから判断すると（ステップ１０１）、音源制御部２は、ＲＡＭ６内に格納してあるデータテーブルからソナーセンサに対応する楽曲名を検索する。楽曲名の検索が終了すると、装置制御部８に対して、楽曲名に対応した楽曲データを楽曲データ用外部記憶装置から読み出すように要求する。装置制御部８は、音源制御部２からの要求信号を入力すると、Ｉ／Ｆ部５を介して、楽曲データ用外部記憶装置から検索した楽曲名に対応した楽曲データをＲＡＭ６にロードする（ステップ１０２）。
【００１８】
音源制御部２は、車両データ入力部１を介して入力される車両と障害物との距離に関するデータをＲＡＭ６内に記憶した設定値と比較して、車両が障害物に対して警告範囲に入ったかどうかを検出する（ステップ１０３）。車両が障害物に対して警告範囲に入ったと判断したときは、ＲＡＭ６内に記憶した楽曲データを読み出して、これを音源部３に供給する。音源部３は入力された楽曲データを解釈して再生するとともに、スピーカ４を介して発音する（ステップ１０４）。
【００１９】
続いて、音源制御部２は、車両データ入力部１を介して入力される車両と障害物との距離に関するデータに基づいて、ＲＡＭ６内に格納したデータテーブルから、入力データに対応した音源制御情報（距離に対する音量の変化値など）を検出し、これを音源部３に出力する。音源部３は、入力された楽曲データを音源制御情報に基づいて、例えば、音量を変化させて再生する（ステップ１０５）。音源制御部２は車両データ入力部１を介して入力された車両と障害物との距離に関するデータとＲＡＭ６内に記憶した設定値とを逐次比較し、障害物ソナーセンサがＯＦＦ状態になったか否かを確認する（ステップ１０７）。音源制御部２が車両データ入力部１からの情報により、障害物ソナーセンサがＯＦＦ状態になったと判断したときは、一連の処理を終了する。また、障害物ソナーセンサがＯＦＦ状態ではないと判断したときは、ステップ１０３に戻り、音源制御部２は、車両データ入力部１を介して入力される車両と障害物との距離に関するデータとＲＡＭ６内に記憶した設定値とを逐次比較して、車両が障害物に対して警告範囲内にあるかどうかを判断する（ステップ１０３）。
【００２０】
一方、音源制御部２が車両データ入力部１を介して入力した車両と障害物との距離に関するデータとＲＡＭ６内に記憶した設定値とを比較した結果、車両が障害物に対して警告範囲に入っていないと判断したとき（ステップ１０３）は、音源部３への楽曲データの供給は行わず（ステップ１０６）、障害物ソナーセンサがＯＦＦ状態になったか否かを確認する（ステップ１０７）。その結果、障害物ソナーセンサがＯＦＦ状態になったと判断したときは、一連の処理を終了する。また、障害物ソナーセンサがＯＦＦ状態ではないと判断したときは、ステップ１０３に戻って処理を続行する。
【００２１】
本実施形態によれば、障害物との距離の変化に応じて音量を変化させることができるため、障害物との距離を即座に認知することができる。また、ＲＡＭ６にロードする楽曲データを音声データに代えることにより、音声案内でも障害物との距離を認知することができる。このように、本実施形態においては、実際の接近距離を視覚のみならず、聴覚によっても確認することができる。
【００２２】
次に、図３を用いて、本発明の第２の実施形態について説明する。
図３は、チェンジレバーの位置を示すデータを入力した場合の車載用音源情報再生装置における処理手順を示したものである。本実施形態は、車両側の装置からチェンジレバーの位置を示すデータを入力して、これに対応した楽曲や再生音の音量、テンポ、キー等をコントロールすることにより、チェンジレバーの位置状態を運転者に知らせるものである。ここで、発音させる音の種類としては、運転者の好みの楽曲でもよいし、単純な音の繰り返しや音声案内などでもよい。これらの発音に関する音源データは、運転者が設定入力部や表示部を用いて、その好みに応じて設定することができる。また、携帯電話を用いてネットワークからダウンロードした楽曲データをインターフェースを介して取り込むこともできる。
図４に、本実施形態のデータテーブルの一部に相当するチェンジレバーの位置と割付音（楽曲名）、再生設定の関係を例示する。これによれば、チェンジレバーがパーキングの位置にあるときは、「お疲れさまでした」という音声が一回だけ再生され、バックの位置にあるときは、設定した楽曲１が動作中、連続再生される。なお、再生設定に関しては、一回、連続、一定時間再生のほか、楽曲のイントロのみを再生するという設定をすることも可能である。
【００２３】
図３により処理手順を説明する。なお、以下の処理においては、データテーブルの初期値設定とＲＡＭ６への音源データのロードは済んでいるものとする。まず、処理が開始されると、装置制御部８は、運転手により、ＲＡＭ６内に格納されたデータテーブルの情報に関し、設定の変更の指示があったかどうかを確認する（ステップ２０１）。装置制御部８が、データテーブルの情報に関し、設定の変更指示があったと判断したときは、その変更内容に応じて、データテーブルを書き換える。また、その変更内容に応じて新しい音源データをＩ／Ｆ部５を介して、外部記憶装置からＲＡＭ６へロードする（ステップ２０２）。装置制御部８によるデータテーブルの書き換え後、あるいは、設定変更がない場合には、次に、装置制御部８がチェンジレバーの操作があったかどうかを車両データ入力部１に入力された情報に基づいて判断する（ステップ２０３）。その結果、チェンジレバーの操作がないと判断したときは、ステップ２０１に戻って、運転者によるデータテーブルの設定変更指示があったかどうかを判断する。
【００２４】
一方、チェンジレバーの操作があったと判断したときは、その情報を音源制御部２に出力する。音源制御部２は、ＲＡＭ６内に格納してあるデータテーブルから対応する割付音を導き出し、その導き出された割付音に対応した音源データを音源部３に供給する。音源制御部２は、同時に、音源制御情報をデータテーブルから読み出して、音源部３に供給する（ステップ２０４）。音源部３は、音源制御情報にしたがって、楽曲データ等を解釈し、これを再生してスピーカ４に出力する（ステップ２０５）。
【００２５】
本実施形態によれば、チェンジレバーの位置を楽曲や効果音の変化、音声案内等で認知することができるため、現在のチェンジレバーの位置を視覚のみならず、聴覚によっても確認することができる。
【００２６】
次に、図５を用いて、本発明の第３の実施形態について説明する。
図５は、燃料の残量やエンジンの温度等の車両データを入力した場合の車載用音源情報再生装置における処理手順を示したものである。本実施形態は、車両側の装置から車両データを入力して、これに対応した楽曲や再生音の音量、テンポ、キー等をコントロールすることにより、車両の状態を運転者に知らせるものである。ここで、発音させる音の種類としては、運転者の好みの楽曲でもよいし、単純な音の繰り返しや音声案内などでもよい。これらの発音に関する音源データは、運転者が設定入力部や表示部を用いて、その好みに応じて設定することができる。また、携帯電話を用いてネットワークからダウンロードした楽曲データをインターフェースを介して取り込むこともできる。
【００２７】
図６に、本実施形態のデータテーブルの一部に相当する車両データと割付音、再生設定の関係を例示する。これによれば、燃料タンクの燃料残量に関しては、楽曲と「ガソリン補給時期が近づきました」という音声が一回再生され、エンジン温度に関しては、効果音と「エンジンルームに問題があります。」という音声が連続再生され、危険を知らせるようになっている。
【００２８】
図５により処理手順を説明する。なお、以下の処理においては、データテーブルの初期値設定とＲＡＭ６への音源データのロードは済んでいるものとする。まず、処理が開始されると、装置制御部８は、運転手により、ＲＡＭ６内に格納されたデータテーブルの各設定に関して、設定変更の指示があったかどうかを確認する（ステップ３０１）。装置制御部８が設定変更の指示があったと判断したときは、その変更内容に応じて、データテーブルを書き換える。また、その変更内容に応じて新しい音源データをＩ／Ｆ部５を介して、外部記憶装置からＲＡＭ６へロードする（ステップ３０２）。装置制御部８によるデータテーブルの書き換え後、あるいは、設定変更がない場合には、次に、装置制御部８が車両側の装置から燃料の残量やエンジンの温度等の車両データを車両データ入力部１を介して入力したか否かを判断する（ステップ３０３）。その結果、車両データの入力があったと判断したときは、その情報を音源制御部２に出力する。
【００２９】
音源制御部２は、ＲＡＭ６内に格納してあるデータテーブルから対応する割付音を導き出し、その導き出された割付音に対応した音源データを音源部３に供給する。音源制御部２は、同時に、音源制御情報をデータテーブルから読み出して、音源部３に供給する（ステップ３０５）。音源部３は、音源制御情報にしたがって、楽曲データ等を解釈し、これを再生してスピーカ４に出力する（ステップ３０６）。一方で、装置制御部８が車両側の装置から車両データを入力していないときは（ステップ３０３）、音源制御部２への音源データの出力は行われず（ステップ３０４）、ステップ３０１に戻って処理を続行する。
【００３０】
本実施形態によれば、燃料の残量やエンジンの温度等の車両の状態を楽曲や効果音の変化、音声案内等で認知することができるため、現在の車両の状態を視覚のみならず、聴覚によっても確認することができる。
【００３１】
次に、図７を用いて、本発明の第４の実施形態について説明する。
図７は、スピードセンサからのデータを入力した場合の車載用音源情報再生装置における処理手順を示したものである。本実施形態は、車両側に備えられたスピードセンサからのデータを入力して、これに対応した楽曲や再生音の音量、テンポ、キー等をコントロールすることにより、現在の走行速度を運転者に知らせるものである。ここで、発音させる音の種類としては、運転者の好みの楽曲でもよいし、単純な音の繰り返しや音声案内などでもよい。これらの発音に関する音源データは、運転者が設定入力部や表示部を用いて、その好みに応じて設定することができる。また、携帯電話を用いてネットワークからダウンロードした楽曲データをインターフェースを介して取り込むこともできる。
【００３２】
図７により処理手順を説明する。なお、以下の処理においては、データテーブルの初期値設定とＲＡＭ６への音源データのロードは済んでいるものとする。また、データテーブルには、楽曲名、設定速度、走行速度に対する楽曲のテンポの変化値などが設定されているものとする。まず、処理が開始されると、装置制御部８は、運転手により、ＲＡＭ６内に格納されたデータテーブルの各設定に関して、設定変更の指示があったかどうかを確認する（ステップ４０１）。装置制御部８が設定変更の指示があったと判断したときは、変更内容に応じて、データテーブルを書き換えるまた、その変更内容に応じて新しい音源データをＩ／Ｆ部５を介して、外部記憶装置からＲＡＭ６へロードする（ステップ４０２）。装置制御部８によるデータテーブルの書き換え後、あるいは、設定変更がない場合には、次に、装置制御部８が車両側のスピードセンサから走行速度に関するデータを車両データ入力部１を介して入力し、これをＲＡＭ６内に記憶されている設定速度と比較して、現在の走行速度が設定速度を超過しているのかいなかを判断する（ステップ４０３）。
【００３３】
その結果、装置制御部８が現在の走行速度が設定速度を超過していると判断したときは、その情報を音源制御部２に出力する。音源制御部２は、ＲＡＭ６内に格納してあるデータテーブルから対応する楽曲名を導き出し、その導き出した楽曲名に対応した音源データ（楽曲データ）を音源部３に供給する。音源制御部２は、同時に、音源制御情報（走行速度に対するテンポの変化値など）をデータテーブルから読み出して、音源部３に供給する（ステップ４０５）。音源部３は、音源制御情報にしたがって、例えば、楽曲データを解釈し、これのテンポを変化させて再生し、スピーカ４に出力する（ステップ４０６）。一方で、装置制御部８が現在の走行速度が設定された速度を超過していないと判断したときは（ステップ４０３）、音源制御部２への情報の出力は行われず（ステップ４０４）、ステップ４０１に戻って処理を続行する。
【００３４】
本実施形態によれば、走行速度に応じて楽曲の再生テンポを変化させたり、ＲＡＭ６にロードする楽曲データを音声データに代えることにより音声案内を行うことで、現在の走行速度を視覚のみならず、聴覚によっても知らせることができる。
【００３５】
以上、図面を参照して本発明の実施形態について詳述してきたが、具体的な構成はこれらの実施の形態に限られるものではなく、この発明の要旨を逸脱しない範囲の設計変更等も含まれる。例えば、本実施形態においては、車両側からの入力信号により、その状況を判断して、自動的に楽曲や効果音、音声等を再生する場合について説明したが、車載用音源情報再生装置の再生スタート制御を運転者が行えるような手段を設けてもよい。また、音源の実装方法については、特に言及しなかったが、ソフトウエアで構成したものでもよいし、ハードウエアで構成したものでもよい。
【００３６】
【発明の効果】
以上のように、この発明によれば、障害物との距離や走行速度を音量や楽曲の再生速度の変化で認知することができるため、運転者は、運転に集中した状態で、危険を認知できる。したがって、視覚のみによる場合に比べて運転の安全性を向上できるという効果がある。また、車両側からの様々な情報に対して、個別の楽曲情報や効果音、音声情報を割り付けることができるため、運転者は、瞬時に、危険箇所や不具合箇所を認知することができるという効果がある。
【図面の簡単な説明】
【図１】本発明の実施形態に係る車載用音源情報再生装置の構成を示す図である。
【図２】本発明の実施形態に係る障害物ソナーセンサからの情報を受けた場合の処理フローチャートである。
【図３】本発明の実施形態に係るチェンジレバーに関する情報を受けた場合の処理フローチャートである。
【図４】本発明の実施形態に係るチェンジレバーの位置と割付音、再生設定との関連づけたデータテーブルの一例を示す図である。
【図５】本発明の実施形態に係る車両状態に関する情報を受けた場合の処理フローチャートである。
【図６】本発明の実施形態に係る車両状態情報と割付音、再生設定との関連づけたデータテーブルの一例を示す図である。
【図７】本発明の実施形態に係るスピードセンサからの情報を受けた場合の処理フローチャートである。
【符号の説明】
１・・・車両データ入力部、２・・・音源制御部、３・・・音源部、４・・・スピーカ、５・・・Ｉ／Ｆ部、６・・・ＲＡＭ、７・・・ＲＯＭ、８・・・装置制御部、９・・・設定入力部、１０・・・表示部
【図１】
2004251989.tif 000003
【図２】
2004251989.tif 000004
【図３】
2004251989.tif 000005
【図４】
2004251989.tif 000006
【図５】
2004251989.tif 000007
【図６】
2004251989.tif 000008
【図７】
2004251989.tif 000009